(57)【要約】【課題】接地体により刈取部の対地高さを検出するコンバインにおいて、接地体を介して対地高さを検出する検出状態と、接地体を刈取部側に収納される収納状態とを、接地体の検出位置によって区別できるコンバインを提供することを課題としている。【解決手段】走行機体２の前部に設けた刈取部３に、上下揺動可能に取付けられた接地体２１と、該接地体２１の揺動位置を検出する検出手段３８とを備え、前記接地体２１を、対地高さを検出する検出状態と、刈取部３側に収納される収納状態とに切換え可能に構成し、検出状態の接地体２１の揺動位置を検出手段３８によって検知することにより、刈取部３の対地高さを検出するコンバインにおいて、検出状態で接地体２１の上方揺動を規制して上限を定める規制手段３９ａ，６２と、該上限位置より上方側に位置させた収容状態で接地体２１を保持する保持手段５４，６２とを設けた。【選択図】図４
2014087310.tif 000002
【特許請求の範囲】
【請求項１】
走行機体（２）の前部に設けた刈取部（３）に、上下揺動可能に取付けられた接地体（２１）と、該接地体（２１）の揺動位置を検出する検出手段（３８）とを備え、前記接地体（２１）を、対地高さを検出する検出状態と、刈取部（３）側に収納される収納状態とに切換え可能に構成し、検出状態の接地体（２１）の揺動位置を検出手段（３８）によって検知することにより、刈取部（３）の対地高さを検出するコンバインにおいて、検出状態で接地体（２１）の上方揺動を規制して上限を定める規制手段（３９ａ，６２）と、該上限位置より上方側に位置させた収容状態で接地体（２１）を保持する保持手段（５４，６２）とを設けたコンバイン。
【請求項２】
前記規制手段（３９ａ，６２）が保持手段（５４，６２）に兼用される請求項１に記載のコンバイン。
【請求項３】
接地体（２１）と一体で上下揺動する作動アーム（３７）と、作動アーム（３７）に回動可能に連結された切換部材（３９）とを備え、前記切換部材（３９）は、作動アーム（３７）から突出した状態で該作動アーム（３７）側に固定されることにより、刈取部（３）側に設けられたストッパ（５６）と当接して接地体（２１）の上限位置を定める前記規制手段（３９ａ）となる一方で、刈取部（３）側に設けられた保持部（５４）に固定されることにより、接地体（２１）を該上限位置よりも上方側に保持する前記保持手段（５４）にもなる請求項２に記載のコンバイン。
【発明の詳細な説明】
【技術分野】
【０００１】
本発明は、刈取部の対地高さ検出装置を備えたコンバインに関する。
【背景技術】
【０００２】
走行機体の前部に設けた刈取部に、上下揺動可能に取付けられた板状の接地体と、該接地体の揺動位置を検出する検出手段とを備え、前記接地体を、対地高さを検出する検出状態と、刈取部側に収納される収納状態とに切換え可能に構成し、検出状態の接地体の揺動位置を検出手段によって検知することにより、刈取部の対地高さを検出する特許文献１，２に記載のコンバインが従来公知である。
【先行技術文献】
【特許文献】
【０００３】
【特許文献１】特許第４４１３０２５号
【特許文献２】特許第３８２２８５６号
【発明の概要】
【発明が解決しようとする課題】
【０００４】
しかし、上記文献のコンバインは、検出状態の接地体の上限位置と、収納状態の接地体と収納位置とが区別されていないことにより、検出手段で検出された接地体の上下揺動位置によって、検出状態と収納状態とを区別できないため、前記検出手段とは別途に収納状態を検出する構成が必要であった。
【０００５】
本発明では、接地体により刈取部の対地高さを検出するコンバインにおいて、接地体を介して対地高さを検出する検出状態と、接地体を刈取部側に収納される収納状態とを、接地体の検出位置によって区別できるコンバインを提供することを課題としている。
【課題を解決するための手段】
【０００６】
上記課題を解決するため本発明は、第１に、走行機体２の前部に設けた刈取部３に、上下揺動可能に取付けられた接地体２１と、該接地体２１の揺動位置を検出する検出手段３８とを備え、前記接地体２１を、対地高さを検出する検出状態と、刈取部３側に収納される収納状態とに切換え可能に構成し、検出状態の接地体２１の揺動位置を検出手段３８によって検知することにより、刈取部３の対地高さを検出するコンバインにおいて、検出状態で接地体２１の上方揺動を規制して上限を定める規制手段３９ａ，６２と、該上限位置より上方側に位置させた収容状態で接地体２１を保持する保持手段５４，６２とを設けたことを特徴としている。
【０００７】
第２に、前記規制手段３９ａ，６２が保持手段５４，６２に兼用されることを特徴としている。
【０００８】
第３に、接地体２１と一体で上下揺動する作動アーム３７と、作動アーム３７に回動可能に連結された切換部材３９とを備え、前記切換部材３９は、作動アーム３７から突出した状態で該作動アーム３７側に固定されることにより、刈取部３側に設けられたストッパ５６と当接して接地体２１の上限位置を定める前記規制手段３９ａとなる一方で、刈取部３側に設けられた保持部５４に固定されることにより、接地体２１を該上限位置よりも上方側に保持する前記保持手段５４にもなることを特徴としている。
【発明の効果】
【０００９】
対地高さを検出する検出状態において、接地体の上方揺動を規制する規制手段と、検出状態の上限位置より上方側に位置した収納状態を保持する保持手段とを設けたことにより、検出状態における接地体の上限位置と、接地体の収納位置とを明確に区別して切換えることができるため、刈取作業時に圃場の泥を掻込むことによる穀物の汚れを効率的に抑制できるとともに、非刈取作業時に接地体が不測に地面と接触して故障することも防止できる。
【００１０】
また、前記規制手段が保持手段に兼用されるものによれば、構成が簡素化されるとともに、各手段を構成する部品点数が削減され、コストを低く抑えることができる。
【００１１】
なお、接地体と一体で上下揺動する作動アームと、作動アームに回動可能に連結された切換部材とを備え、前記切換部材は、作動アームから突出した状態で該作動アーム側に固定されることにより、作業部側に設けられたストッパと当接して接地体の上限位置を定める前記規制手段となる一方で、作業部側に設けられた保持部に固定されることにより、接地体を該上限位置よりも上方側に保持する前記保持手段にもなるものによれば、検出状態と収納状態との切換えを簡易な構成で設けることができる。
【図面の簡単な説明】
【００１２】
【図１】本発明を適用した汎用コンバインの全体側面図である。
【図２】接地体の配置を示した刈取部の要部平面図である。
【図３】接地体の検出状態を示した要部側面図である。
【図４】接地体の検出状態時の上方限界位置を示した要部側面図である。
【図５】接地体の収納状態を示した要部側面図である。
【図６】（Ａ）及び（Ｂ）は、別実施例における切換部材の検出状態時の上方限界位置を示した要部平面図及び要部側面図である。
【図７】（Ａ）及び（Ｂ）は、別実施例における切換部材の収納状態を示した要部平面図及び要部側面図である。
【発明を実施するための形態】
【００１３】
以下、図示する例に基づき本発明の実施形態について説明する。
図１は、本発明を適用した汎用コンバインの全体側面図である。本汎用コンバインは、走行部である左右一対のクローラ式走行装置１，１に支持された走行機体２と、該走行機体２の前部に昇降可能に連結されて圃場の穀稈の刈取作業等を行う刈取部３とを備え、走行機体２は、該刈取部３の後方にオペレータが乗込んで操向操作を行う操縦部４と、該操縦部４の後方左側であって前記刈取部３で刈取られた穀稈の脱穀作業を行う脱穀装置６と、走行機体３の後端側から藁屑等を排出する排出部７とを有している。
【００１４】
前記刈取部３は、刈取った穀稈を脱穀装置６側に搬送するフィーダ８と、該フィーダ８の前端に連結されて前方側に延びる刈取フレーム９と、該刈取フレーム９の基端部となる後端側から前方に向かって延出している左右一対の支持アーム１１と、該左右の支持アーム１１の延出端間に回転自在に架設支持された掻込リール１２とを備えている。前記刈取フレーム９の前部側は、該掻込リール１２の外側から前方に向けて延設されており、該左右一対の刈取フレーム９の間には圃場の穀稈を刈取る刈取装置１３が設けられ、刈取フレーム９の前端にはデバイダ１４が設けられている。
【００１５】
該構成の刈取部３により刈取られた穀稈は、刈取フレーム９側の搬送オーガ１６によりフィーダ８の前端側へ送られ、該フィーダ８に搬送された穀稈がフィーダ８の内部に備えた搬送コンベヤ１７によって後方側に搬送される。フィーダ８の後端側へ搬送された刈取穀稈は前記脱穀装置６の上部前端側へと送られる。
【００１６】
また、刈取部３の下部側には、前記刈取装置１３の後側に、上下揺動可能な板状の接地体２１を用いて刈取部３の対地高さを検出する対地高さ検出手段が設けられており、これにより刈取部３の対地高さを検出できる。言い換えると、圃場の穀稈を刈取る刈取装置１３が設けられた刈取部３の下面側と、圃場面との距離を検出し、刈取部３を刈取作業に適した高さに保持することができる。対地高さ検出手段の詳しい構成については後述する。
【００１７】
前記脱穀装置６は、該脱穀装置６の上部側であって前記搬送コンベア１７から搬送される刈取穀稈の脱穀作業を行う脱穀部２２と、該脱穀装置６の下部側であって前記脱穀部２２により脱穀された脱穀物を一番物である穀粒と二番物と藁屑等の排塵物とに選別する選別部２３とから構成されている。
【００１８】
前記脱穀部２２は、前記搬送コンベア１７の後端側から刈取穀稈が全稈投入される扱室２４と、該扱室２４の前後方向全体に亘って形成され且つ前後方向の扱胴回転軸周りに回転駆動自在に設けられた円筒状の扱胴２６と、該扱胴２６の下方側に位置し且つ扱胴２６の外周下面側に沿って正面視円弧状に形成された受網とを備えている。
【００１９】
前記選別部２３は、前記受網の下方側の前後揺動可能に支持された揺動選別体２８と、該揺動選別体２８の前部下方に設けられて後方斜め上方の選別風を起風する唐箕ファン２９と、該唐箕ファン２９の後方に配置されて同様に選別風を起風する二番選別ファン３１と、唐箕ファン２９と二番選別ファン３１の間に配置され、選別された一番物を搬送する一番ラセン３２と、二番選別ファン３１の後方側に配置されて選別された二番物を搬送する二番ラセン３３とを備えている。
【００２０】
これにより、脱穀部２２の扱胴２６により脱穀処理されて受網から落下してきた処理物は、選別部２３の揺動選別体２８によって揺動選別されるとともに、上記選別風によって一番物又は二番物に選別（風選）される。選別された一番物は、一番ラセン３２によりグレンタンク３４に搬送され、二番物は、二番ラセン３３を介して脱穀部２２の扱胴２６側又は選別部２３の揺動選別体側２８に再度投入され、藁屑等の排出物は、選別部２３の後端側から前記排出部７を介して機外へと排出される。
【００２１】
次に、図２乃至５に基づき、対地高さ検出手段の構成について説明する。
【００２２】
図２は、接地体の配置を示した刈取部の要部平面図であり、図３乃至５は、接地体の検出状態と、検出状態時の上方限界位置と、収納状態とを示した要部側面図である。刈取部の対地高さ検出手段は、左右一対の刈取フレーム９，９間に架設された揺動軸３６と、該揺動軸３６を介して上下揺動自在に設けた接地体２１と、揺動軸３６の両端側にそれぞれ設けられて揺動軸３６と一体回動する作動アーム３７と、該作動アーム３７の揺動角度を検出することによって刈取部３の対地高さを検出するポテンショメータ（検出手段）３８と、作動アーム３７に取付けられて後述する接地体２１の検出状態と収納状態とを切換える切換部材３９と、を備えている。
【００２３】
前記揺動軸３６は、刈取フレーム９内に配置された嵌合部４０に、揺動軸３６の端部側が嵌合・支持されることにより、左右の刈取フレーム９側から該刈取フレーム９，９間の中央側に向けてそれぞれ延設されている。また、この左右の揺動軸３６の端部側同士は、ボス部材４１を介して両揺動軸３６が互いに独立して回動可能な構成で連結されることにより、左右の揺動軸３６が、刈取フレーム９，９間に架け渡されている（図２参照）。なお、該嵌合部４０の外周側には、弾性部材４５が巻付けられており、前記接地体２１を所定位置に向けて付勢している。
【００２４】
前記接地体２１は、揺動軸３６に沿って延設されて該揺動軸３６を挟むコ字状に形成されて、揺動軸３６側にボルト等によって連結固定される連結部４２と、該連結部４２から後方へ向けて延設され、圃場と接する接地板４３とから構成されており、該構成の接地体２１が揺動軸３６に左右一対設けられている。
【００２５】
具体的には、該接地板４３の後端側は、上方に向けて二段階に屈曲させることにより下方揺動された際に圃場面と当接する接地面４３ａが形成され、接地板４３の上面側には、該上面側の形状に沿った板状の補強用のリブ部材４６が所定間隔で配置されている。また、各接地板４３の略中央には、後端（接地面４３ａ）側から前方に向けた切欠部４７が形成されており、該切欠部４７によって、接地体２１を上方側へ揺動させた際に、接地体２１（特に当接面４３ａ）と、接地体２１上方の刈取部３側から下方側に張出した張出部（図示しない）との接触を避けることができるように構成されている。
【００２６】
前記作動アーム３７は、ポテンショメータ３８に連結された検出アーム５１と常時当接するとともに、切換部材３９の一端側が連結される当接ピン５２と、切換部材３９の他端側が着脱自在に取付けられる検出切換ピン５７とが形成されている。また、作動アーム３７は、揺動軸３６の端部側に設けられて、該揺動軸３６と一体回動するボス部材に溶着等により取付けられることにより、前記揺動軸３６と一体回動するように構成されている。
【００２７】
前記ポテンショメータ３８は、上下揺動自在に設けた棒状の検出アーム５１の傾きを検出するように構成されている。詳しくは、該検出アーム５１は、付勢部材（図示しない）により上方揺動側に付勢されることによって、作動アーム３７に設けた前記当接ピン５２と常時当接するように構成されており、ポテンショメータ３８は常に当接ピン５２（作動アーム３７）の揺動位置を検出できる。
【００２８】
前記切換部材３９は、一端側が作動アーム３７に回動自在又は着脱自在な構成で取付けられており、切換部材３９の他端側は、作動アーム３７側の前記検出切換ピン５７が係合可能なように切欠かれた凹設部５３が形成されている。このとき、作動アーム３７の上方且つ刈取部３（刈取フレーム９）側には、前記凹設部５３を刈取フレーム９側に保持するための保持部（保持手段）５４と、作動アーム３７の上方回動を規制するストッパ（規制手段）５６とが設けられている。
【００２９】
上記の保持部５４は、刈取フレーム９側に固定される取付部５４ｂと、切換部材３９の凹設部５３が嵌合される保持ピン５４ａとを備えており、上記のストッパ５６は、刈取フレーム９側に取付けられた取付部５４ｂの前端側から下方に向けて延設されたプレート部材であって、この下端側を前方に向けて屈曲することによって屈曲部５６ａが形成されている。
【００３０】
上記切換部材３９は、作動アーム３７がストッパ５６の屈曲部５６ａに当接する位置まで上方揺動させた状態で、前記保持ピン５４ａを凹設部５３側に嵌合・固定することができるように構成されており、これにより、接地体２１を収納状態に切換えることができる（図５参照）。その一方で、切換部材３９の凹設部５３を作動アーム３７に設けた検出切換ピン５７に嵌合・固定することができるようにも構成されており、これにより、検出状態に切換えられる。このとき、切換部材３９の一辺側は、作動アーム３７よりも前記ストッパ５６側へ突出させて規制部３９ａ（規制手段）となり、該規制部３９ａが前記ストッパ５６の屈曲部５６ａと当接する位置が接地体２１の上方限界位置となるように構成されている（図４参照）。
【００３１】
上述の構成より、左右の刈取フレーム９にそれぞれ設けた対地高さ検出手段は、図３に示すように、切換部材３９の凹設部５３を作動アーム３７の検出切換ピン５７に連結・固定することによって、接地体２１が刈取部３の対地高さを検出する検出状態に切換えられる。該検出状態では、接地体２１が下方揺動されて接地板４３の下面や前記接地面４３ａが圃場面と接地した状態で前記弾性部材４５によりさらに下方に付勢されることにより、刈取部３の対地高さに応じて接地体２１がスムーズに上下揺動するように構成されている。すなわち、接地体２１は、弾性部材４５により接地体２１が圃場の物に接触する等する度に浮上がることを効率的に防止される。
【００３２】
これにより、接地体２１の上下揺動に応じて、作動アーム３７が回動作動することにより、該作動アーム３７と一体回動する当接ピン５２の位置がポテンショメータ３８で検出されるため、刈取部３の対地高さを安定して検出できる。また、上記構成の対地高さ検出手段は、独立して上下揺動する左右の接地体２１それぞれに基づいて対地高さを検出可能に構成されている。ちなみに、検出状態の接地体２１は、所定の位置で作動アーム３７と刈取フレーム９とが接触することにより、下方揺動が規制される下方限界位置が設定されている（図示しない）。
【００３３】
また、図５に示すように、切換部材３９の凹設部５３を刈取フレーム９側の前記保持部５４（保持ピン５４ａ）に連結・固定することによって、接地体２１の下方揺動を規制して刈取フレーム９側に収納する収納状態に切換えることができる。図より、上記の収納状態は、規制部３９ａとストッパ５６とが当接する検出状態時の前記上方限界位置よりも上方に揺動操作された位置で保持される。
【００３４】
言い換えると、収納状態における接地体２１の収納位置は、検出状態における接地体の揺動範囲外（上方限界位置より上方側）に設定されることにより、接地体２１の揺動位置が収納位置であることを検出することができるため、接地体２１が収納状態であることを明確に判別することができとともに、刈取作業時に圃場の泥を掻込んで脱穀物を汚すことを効率的に防止できる。
【００３５】
なお、前記接地体２１は、弾性部材（ねじりコイルばね等）４５により、接地面４３ａが圃場面に接地した状態で走行機体が後進した場合であっても、接地体２１が圃場面に引っ掛って破損することを防止する構成としても良く、接地体２１を収納位置まで上方揺動操作する際に、所定位置からは接地体２１の上方揺動操作を補助する方向に向けて付勢する構成としても良い。
【００３６】
次に図６及び図７に基づき、対地高さ検出手段の他実施例について上述した例と異なる点を説明する。
【００３７】
図６（Ａ）及び（Ｂ）は、別実施例における切換部材の検出状態時の上方限界位置を示した要部平面図及び要部側面図であり、図７（Ａ）及び（Ｂ）は、別実施例における切換部材の収納状態を示した要部平面図及び要部側面図である。対地高さ検出手段は、接地体２１と、作動アーム３７と、ポテンショメータ３８と、作動アーム３７に取付けられて後述する接地体の検出状態と収納状態とを切換える切換機構６１とを備えている。
【００３８】
前記切換機構６１は、接地体２１の上面側又は下面側と当接して接地体２１の上方揺動又は下方揺動を規制する規制ピン６２と、該規制ピン６２を挿通・支持する筒状の挿通部６３と、該挿通部６３が溶着等によって取付固定されて挿通部６３を刈取部３（刈取フレーム９）側に支持する支持部６４とを備えている。
【００３９】
前記支持部６４は、一端側が刈取フレーム９側に取付・固定されるとともに、他端側が作動アーム３７の後方下側に向かって屈曲形成されており、下端側に前記筒状部６３が固定されている。なお、該支持部６４は、中途部をＬ字型に屈曲したアンクル部６４ａが形成され、補強されている。
【００４０】
前記筒状部６３は、刈取フレーム９側から左右方向内側の接地体２１の左右端側へ向かって延設された筒状に形成され、前記支持部６４の下端側に取付固定されている。このとき、該筒状部６３は、上下揺動する接地体２１と接触しないように形成されている。
【００４１】
前記規制ピン６２は、端部に輪状の把持部６２ａが形成されており、該把持部６２ａにより筒状部６３に挿通された規制ピン６２が所定位置より奥には挿通されないように形成されており、筒状部６３に規制ピン６２を挿通した際に、筒状部６３の外側に露出した規制ピン６２の挿通端側が接地体２１の上面又は下面と当接するように構成されている。
【００４２】
上記構成によれば、接地体２１の上面側が筒状部６３の前方・下方側にある状態で筒状部６３に規制ピン６２を挿通することによって、接地体２１が検出状態に切換えられる。該検出状態時の接地体２１は、接地板４３の上面側が規制ピン６２と当接する位置で上方限界位置となる（図６参照）。一方で、接地体２１の下面側が筒状部６３の上方側にある状態で規制ピン６２を筒上部６３に挿通することによって、接地体２１が収納状態に切換えられる。収納状態の接地体２１は、規制ピン６２によって下方揺動が規制されることにより、収納位置で保持されるため、接地体が圃場面と接触せず刈取部３の対地高さの検出が行われない（図７参照）。
【００４３】
すなわち、規制ピン６２の抜差しによって容易に接地体２１の検出状態と収納状態とを切換えることができるとともに、収納状態に切換えることによって接地体２１の位置が、検出状態での接地体の上下揺動範囲外（上方限界位置の上方側）に操作されるため、接地体２１の検出位置によって検出状態と収納状態とを明確に区別できる。
【００４４】
ちなみに、前記規制ピン６２に、筒状部６３に挿通された状態で接地板４３と当接する左右内側へ向けて付勢する弾性部材（図示しない）を設けた構成としても良い。これにより、規制ピン６２の把持部６２ａを左右外側に弾性力に抗して引張ることによって、一時的に規制ピン６２と接地板４３との当接を解除し、この状態で接地体２１の検出状態と収納状態とを切換えた後に、規制ピン６２を元に戻すことによって各状態を切換えることができる。
【符号の説明】
【００４５】
２    走行機体
３    刈取部
２１    接地体
３７    作動アーム
３８    ポテンショメータ（検出手段）
３９    切換部材
３９ａ  規制部（規制手段）
５３    凹設部（保持手段）
５４    保持部
５６    ストッパ
６２    規制ピン（規制手段，保持手段）
【図１】
2014087310.tif 000003
【図２】
2014087310.tif 000004
【図３】
2014087310.tif 000005
【図４】
2014087310.tif 000006
【図５】
2014087310.tif 000007
【図６】
2014087310.tif 000008
【図７】
2014087310.tif 000009